(57)【要約】【課題】  従来の複数月（三ケ月以上）を掲示する卓上カレンダーは、次のような課題があった。卓面から略垂直に立っているため見づらい。複数面に複数月のカレンダーを表示するので、どこを見て良いか判りにくい。表示していない残りのカレンダーの用紙の保管場所がないなどである。あるいはすべての月のカレンダーを表示して、表示が多過ぎて見づらい。【解決手段】上記のような課題を解決するために、本願発明の卓上カレンダー装置は、月表示面が横方向にカレンダー順に連続して表記されたカレンダー用紙と、このカレンダー用紙を重なるように巻いて被せる支持体とを有し、月表示面の間にミシン目が形成され、支持体の外周一周で複数の月表示面をカレンダー順で表示する装置とした。【選択図】図６
2014138982.tif 000002
【特許請求の範囲】
【請求項１】
月表示面または週表示面が横方向にカレンダー順に連続して表記されている横長のカレンダー用紙と、
このカレンダー用紙を重なるように巻いて被せる支持体とを有し、
前記月表示面または週表示面の間にミシン目が形成され、
前記支持体の外周一周で前記カレンダー用紙の複数の前記月表示面または週表示面のカレンダーをカレンダー順で表示することを特徴とする卓上カレンダー装置。
【請求項２】
前記カレンダー用紙の重なり部分では、外側の前記月表示面または週表示面に内側の前記月表示面または週表示面が対応して重なるように巻かれていることを特徴とする請求項１記載の卓上カレンダー装置。
【請求項３】
月表示面または週表示面が横方向にカレンダー順に連続して表記されている横長のカレンダー用紙と、このカレンダー用紙を重なるように巻いて被せる支持体とよりなり、
前記月表示面または週表示面の間にミシン目が形成され、
前記支持体の外周において、前記カレンダー用紙の複数の前記月表示面または週表示面を
表示し、
前記カレンダー用紙の先端の月表示面または週表示面を先頭表示面とし、
前記支持体の外周表面にある前記カレンダー用紙の末尾の月表示面または週表示面を末尾表示面とし、
前記支持体の外周一周で前記先頭表示面から前記末尾表示面までのカレンダーをカレンダー順で表示し、
前記カレンダー用紙の重なり部分で、前記先頭表示面と先頭から二番目の表示面との間のミシン目で前記先頭表示面を切り離して除去すると、前記末尾表示面の次の表示面が現れ表示されて、
前記支持体の外周一周で前記先頭から二番目の表示面から前記末尾表示面の次の表示面までの更新されたカレンダーをカレンダー順で表示することを特徴とするカレンダーの表示方法。
【発明の詳細な説明】
【技術分野】
【０００１】
本願発明は、卓上に置いて、カレンダーを表示する用具に関するものである。
【背景技術】
【０００２】
卓上においてカレンダーを表示する用具は数々の種類がある。ここでは本願発明に近似する、電子器具等の高価な装置は用いずに、紙製のカレンダー用紙に複数月（三ケ月以上）のカレンダーを立て掛けて同時に表示する用具に限って記載する。
従来のカレンダーには以下のようなものがある。
折りたたみ式の六角形筒状の紙の側面にカレンダーを表記した卓上カレンダーがある。（特許文献１参照）
また、長方形状の用紙の表面にカレンダーを表記し、裏面に広告コンテンツを表記して三角筒体に折り曲げて挿し込み片とスリットを使って、三角筒体を立てて使用するカレンダーがある。（特許文献２参照）
また、単一のシートを折り曲げて角筒形状を形成し、角数を選択的に変更することができる卓上表示体がある。（特許文献３参照）
【先行技術文献】
【特許文献】
【０００３】
【特許文献１】特許第４８９４３７３号公報
【特許文献２】特開２０１０−１２５８４９公報
【特許文献３】登録実用新案第３１７５３８１号公報
【発明の開示】
【発明が解決しようとする課題】
【０００４】
前記六角形筒状の側面にカレンダーを表記した卓上カレンダーは、六か月後に新たな卓上カレンダーが必要となる。あるいは１年分のカレンダーが表記される場合、文字が小さくなり、見辛い。
前記カレンダーや広告コンテンツを記載した紙を、三角筒体に折り曲げて立てて使用するカレンダーは、三面に３ケ月のカレンダーを表示するので見易いが、一年の残りの９ケ月分のカレンダーを記載した用紙を別な場所に保管しなければならない不便さがある。また１年分のカレンダーを３面に表示した場合は、煩雑となり見辛い。三面が平等の見易さのため、どこに今月のカレンダーが表示されているのか都度探さねばならない不便さがある。
前記単一シートを折り曲げて角筒形状を形成し、角筒を卓上に立てて使用する卓上表示体においては、紙の筒であるため、風等によって倒れやすい不便さがある。また、角筒状の側面が表示版となっているため、どの側面のコンテンツが重要であるのか差別ができない不便がある。前記同様に、どこに今月のカレンダーが表示されているのか都度探さねばならない不便さがある。
【０００５】
さらに、前記従来の複数月（３ケ月以上）を掲示する卓上カレンダー、あるいは複数コンテンツを表示する表示体は、下記のような共通する課題がある。
１）三か月後あるいは六か月後にカレンダーを更新する手間が大変、あるいは新たなカレンダー用紙を必要とする。
２）直近の三ケ月がカレンダー順で並んでいないのでどこの面に今月のカレンダーが表記されているのか、迷う。
３）時期の過ぎたカレンダーを切り離すことができないため、その時点で不要なカレンダーまで表示されて見辛い。
４）カレンダー用紙が卓面から略垂直に立っているため、利用者の視線の方向は斜め上からであり、カレンダーを見辛い。
５）複数の表示面（多角柱の側面）に優劣がないため、どこを見て良いか判りにくい。
６）角筒形状のカレンダーに書き込みをする場合、下敷がないため書き込みができない。
などの課題や改良を必要とする点がある。
【課題を解決するための手段】
【０００６】
上記のような課題を解決するために、本願発明の卓上カレンダーは
月表示面または週表示面が横方向にカレンダー順に連続して表記されている横長のカレンダー用紙と、このカレンダー用紙を重なるように巻いて被せる支持体とを有し、
前記月表示面または週表示面の間にミシン目が形成され、
前記支持体の外周一周で前記カレンダー用紙の複数の前記月表示面または週表示面のカレンダーをカレンダー順で表示することを特徴とする卓上カレンダー装置である。
また、
前記カレンダー用紙の重なり部分では、外側の前記月表示面または週表示面に内側の前記月表示面または週表示面が対応して重なるように巻かれている卓上カレンダー装置である。
さらに
月表示面または週表示面が横方向にカレンダー順に連続して表記されている横長のカレンダー用紙と、このカレンダー用紙を重なるように巻いて被せる支持体とよりなり、
前記月表示面または週表示面の間にミシン目が形成され、
前記支持体の外周において、前記カレンダー用紙の複数の前記月表示面または週表示面を
表示し、
前記カレンダー用紙の先端の月表示面または週表示面を先頭表示面とし、
前記支持体の外周表面にある前記カレンダー用紙の末尾の月表示面または週表示面を末尾表示面とし、
前記支持体の外周一周で前記先頭表示面から前記末尾表示面までのカレンダーをカレンダー順で表示し、
前記カレンダー用紙の重なり部分で、前記先頭表示面と先頭から二番目の表示面との間のミシン目で前記先頭表示面を切り離して除去すると、前記末尾表示面の次の表示面が現れ表示されて、
前記支持体の外周一周で前記先頭から二番目の表示面から前記末尾表示面の次の表示面までの更新されたカレンダーをカレンダー順で表示することを特徴とするカレンダーの表示方法である。
【発明の効果】
【０００７】
本願発明の卓上カレンダーは次のような効果を得ることができる。
１）複数月のカレンダーを常にカレンダー順で表示することができる。
２）時期の過ぎたカレンダーは切り離すと、更新された今月に近い複数月のカレンダーを、カレンダー順に並べて表示できるので見易い。
３）時期を過ぎたカレンダーの切り離しは、切り離し用のミシン目を使って非常に容易にできる。
４）切り離したカレンダーは筒体の中央部空間に保管できるため、記入したメモ等を見返すことができる。
５）表示面を上に面を向けた卓上カレンダー装置とすることができるため、表示面が見易い。
６）利用者にとって見易い面と見辛い面とを形成することができるので、コンテンツを表示する側面として、優劣あるいは序列のある表示面を形成することができる。
７）支持体の内部を中空として、筆記具やメモ用紙等を収納することができる。
８）支持体を下敷き替わりにして、カレンダーを外すことなくカレンダー用紙に書き込みができる。
９）月毎のカレンダーの更新にあたって、支持体を水平回転させてカレンダーの位置を変えることができる。しかし、支持体からカレンダー用紙を外して、水平回転させる方法でもカレンダーの位置を変えることができるため、今月のカレンダーの表示位置を特定することができる。
１０）前後幅を狭めた支持体を使用することで、卓上を広く使える。
１１）支持体があることで、今月のカレンダーの位置が分かり易い。
１２）表示面の数を容易に増やすことができる。
１３）製作費用は安価である。
【発明を実施するための形態】
【０００８】
以下図面を参照にしながら本願発明の好適な実施の形態を詳細に説明する。
【０００９】
図１は本願発明の卓上カレンダー装置に用いる第一の形態のカレンダー用紙１を説明する図である。
カレンダー用紙１は月表示面または週表示面１１ｂが横方向に、左端の１月１日から右に向かってカレンダー順に連続して表記されている横長のカレンダー用紙１であって、カレンダー用紙１は４週毎の週表示面の間に切り離し用のミシン目１ａが形成されている。
ここで、月表示面とは一月分のカレンダーと付帯コンテンツを表記した表示面である。
週表示面とは一週分のカレンダーと付帯コンテンツを表記した表示面である。
付帯コンテンツとは、表記されたカレンダー前後の若干の日付や、六曜、歳時記、絵、写真、文字等である。
カレンダー順とは、月表示面であれば１月のカレンダー、２月のカレンダー、３月のカレンダーというように過去から未来へのカレンダーの並び順序である。週表示面であれば、同様に先週の日付と曜日、今週の日付と曜日、来週の日付と曜日、その次の週の日付と曜日というように、過去から未来へのカレンダーの並び順序である。
【００１０】
図２は本願発明の卓上カレンダー装置に用いる第二の形態のカレンダー用紙１を説明する図である。
本願第二の形態のカレンダー用紙は、１４面の月表示面１１ａが横方向にカレンダー順に連続して表記されている横長のカレンダー用紙であって、前記月表示面１１ａ毎の間にミシン目１ａが形成されているカレンダー用紙である。
図２で表すカレンダー用紙１は、カレンダー用紙の個々の表示面の幅は、つまりカレンダー用紙１の端部１ｂとミシン目１ａとの幅、あるいはミシン目１ａとミシン目との幅は同幅に形成されている。
【００１１】
図３は本願発明の卓上カレンダー装置に用いる第三の形態のカレンダー用紙１を説明する図である。
本願第三の形態のカレンダー用紙１は、１２面の月表示面１１ａが横方向にカレンダー順に連続して表記されている横長のカレンダー用紙であって、前記月表示面１１ａ毎の間に切り離し用のミシン目１ａが形成されているカレンダー用紙である。
図３で表すカレンダー用紙１は個々の表示面１ｃが小判型である。カレンダー用紙は個々の表示面の上部や下部の形状に凹凸や切欠きがあったり、用紙に開口部があったりしても機能的に支障はない。
図３のカレンダー用紙の個々の表示面は上下が曲線の小判型であるが、主要部１ｄの個々の側面１ｃの主要部の幅１ｅは同幅である。
この個々の側面の同幅を維持する部分を主要部と称する。個々の表示面の主要部が所定の幅を保つことができれば、つまり主要部以外の形状は凹凸等があろうとも、本願卓上カレンダー装置にとって機能上支障はない。
図４は本願発明の卓上カレンダー装置に用いる第四の形態のカレンダー用紙１を説明する図である。
図４で表される本願第四の形態のカレンダー用紙１は、個々の表示面１ｃが合同の等脚台形１ｈの形状をしている、１２面の月表示面１１ａが横方向にカレンダー順に連続して表記されている横長のカレンダー用紙であって、前記月表示面１１ａ毎の間に切り離しと折り曲げのためのミシン目１ａが形成されているカレンダー用紙である。等脚台形の辺の位置とミシン目の位置は同じ位置である。
【００１２】
図１から図４で表したカレンダー用紙には、カレンダーをカレンダー用紙の左端からカレンダー順に表記したが、右端からカレンダー順であってもよい。その場合は、カレンダー用紙を重ねて巻くときに、左端を内側にして巻く必要がある。
カレンダー用紙の材料は薄くてしっかりした紙または折り曲げ可能な合成樹脂がよい。カレンダー用紙に設ける切り離し用のミシン目は、時期を過ぎたカレンダーの表示面を切り離すために必要である。カレンダー用紙は切り離し用のミシン目位置で折り曲げが容易にできるため、角のある支持体の形状に追随できる。また、ミシン目がない位置でも、紙であるため曲げたり撓んだり多少の伸び縮みがあり、曲面のある支持体の形状に追随することができる。
ここで言うミシン目とは紙を切り離し易いように、紙に入れる穴や切れ目である。文字通り連続的に設けた針穴であってもよいし、点線状に切込やスリットや大きな穴を設けたようなものでもよいし、他の形態の切り離し方法であってもよい。
月表示の個々の表示面の数が１２面以上、あるいは週表示の個々の表示面が一年分以上あるカレンダー用紙を用いる場合には、個々の表示面にカレンダー以外を表記してもよい。例えば、１年間のカレンダー、地下鉄路線図、緊急連絡先リスト、写真、絵、標語や予定表を記載した面があってもよい。また、そのようなコンテンツを表示するために表示面の数を増やすことも、カレンダー用紙が多少長くなるだけであり、容易である。
【実施例１】
【００１３】
図５は本願発明の実施例１を表す図である。
図１で表された第一の形態のカレンダー用紙１を重なるように巻いて、卓上カレンダー装置の有する支持体に被せた状態を表す（Ａ）正面図、（Ｂ）平面図、（Ｃ）側面図である。
図５で表すカレンダー装置１０は、
月表示面または週表示面１１ｂが横方向にカレンダー順に連続して表記されている横長のカレンダー用紙１と、
このカレンダー用紙１を重なるように巻いて被せる支持体４とを有し、
４週毎の週表示面１１ｂの間に切り離し用のミシン目１ａが形成され、
前記支持体４の外周一周で前記カレンダー用紙１の複数の週表示面１１ｂのカレンダーをカレンダー順で表示する卓上カレンダー装置１０である。
本願発明の卓上カレンダー装置は、支持体の外周一周を使って、カレンダー用紙を重なるように巻いたままの状態で、外側にある複数の表示面のカレンダーをカレンダー順で表示する方法で、使用する。元々カレンダー用紙にはカレンダーが表記された月表示面または週表示面がカレンダー順に並べられているので、カレンダー用紙の任意の部分の月表示面あるいは週表示面を連続的に表示すると、その部分ではカレンダーがカレンダー順に表示される。そして、時期の過ぎた月表示面あるいは週表示面を切り離し用のミシン目で切り離し、内側から新たな表示面を現して、更新されたカレンダー順のカレンダーを支持体の外周一周に表示する卓上カレンダー装置である。
【００１４】
図５で表された支持体の形状は断面が長円形の筒体を斜めに立てた形状である。重ねて巻かれた状態のカレンダー用紙の内周長が支持体の外周長より大きいならば、カレンダー用紙を支持体に被せることができる。また、カレンダー用紙は紙であるため、重ねて巻かれた状態であっても柔軟性があり、支持体の断面形状が角のない円形や長円形等であれば、支持体の形状に追随して被せることができる。
あるいは、始めにカレンダー用紙の最後尾面を支持体に押付けて、次にカレンダー用紙を支持体の周りにぐるぐると巻き付け、カレンダー用紙を支持体に被せる方法であってもよい。
【００１５】
支持体の断面形状が長円形であることは、本願発明の卓上カレンダーを狭い卓上やカウンター上でも便利に使用することができる。断面形状が円形や正方形と比較して、前後幅が狭く左右幅が広いため、卓上のより隅に寄せて本願発明の卓上カレンダーを置くことができる。
【００１６】
また、支持体の形状が筒体を斜めに立てた形状であるため、筒体の正面は上を向いて傾斜している。そして背面は下を向いて傾斜している。すなわち、表示面が筒体の外周のどこに位置しているかで、利用者がカレンダーを見るときの利用者の視線の方向９は、斜め上方からであり、見易さが異なる、あるいは予定等を記入するときの記入のし易さが異なる支持体である。つまり、支持体の外周の位置によって、表示面を表示する能力が異なる支持体を創出することができる卓上カレンダー装置である。別な表現で、優劣あるいは序列のある表示面を有する卓上カレンダー装置であると言える。
見る回数の多い今週前後の週表示面（あるいは月表示面）を見易い正面に配置して、見る回数の少ない将来あるいは過去の週表示面（あるいは月表示面）を見辛い背面になるように、巻いたカレンダー用紙を配置することできる、便利に利用できる卓上カレンダー装置である。
また、このように支持体の側面形状に特徴があると、今月のカレンダーの記載された位置が分かり易く、視線をすぐにそこに向けることができる。
実施例１の支持体のように支持体の横断面が角のない形状（円形等）の場合、支持体を片方の手で押えて、もう一方の手で巻かれたカレンダー用紙を持って、支持体の外周を滑らせるように回転させることで、カレンダー用紙の位置を変えることができる。
【実施例２】
【００１７】
図６は本願発明の実施例２を表す図である。
図６の（Ａ）図で表すカレンダー用紙１は、図２で表された第二の形態のカレンダー用紙を四角柱の側面状に重なるように巻いた状態を表している。カレンダー用紙は個々の表示面１ｃが同幅であり、表示面の間にミシン目があり、ミシン目では容易に折り曲げることができる。従って、重ねて巻いて角柱の側面状を形成することは容易である。
図６の（Ｂ）図で表す卓上カレンダー装置１０は、本願発明の実施例２を表す図であり、（Ａ）図で表されたカレンダー用紙を支持体に被せて、巻き付けた状態を表している。  カレンダー用紙を支持体に巻き付ける方法は、海苔巻を巻くように、カレンダー用紙の一端から支持体にぐるぐると巻き付ける方法であってもよい。巻いた状態のカレンダー用紙が、巻き戻ること（カレンダー用紙の折り目が広がること）をクリップ８ａで留めて防いでいる。
支持体は横断面が正四角の筒体であり、筒体の横断面の外周は、カレンダー用紙１の個々の表示面１ｃの幅の４倍の長さである。図はカレンダー用紙の四つの個々の表示面に記載されたカレンダーが４面に連続して表示されている状態を表している。
図６では、前年１２月のカレンダーがミシン目位置で切り離されて、１月、２月、３月と４月のカレンダーが筒体の外周一周をカレンダー順に表示されている状態である。（３月と４月のカレンダーは背面になって、図では見えない）
図６の（Ｂ）図に表す卓上カレンダー装置は、
月表示面１１ａまたは週表示面が横方向にカレンダー順に連続して表記されている横長のカレンダー用紙１と、
このカレンダー用紙１を重なるように巻いて被せる支持体４とを有し、
前記月表示面１１ａまたは週表示面の間にミシン目１ａが形成され、
前記支持体の外周一周で前記カレンダー用紙１の複数の前記月表示面１１ａまたは週表示面のカレンダーをカレンダー順で表示する
ことを特徴とする卓上カレンダー装置である。
【００１８】
図２で説明したように、カレンダー用紙１の個々の表示面１ｃの幅は同幅に形成されている。従って外側の１月のカレンダーの表示面の内側には５月のカレンダーが対応して重なるように巻かれている。同様に２月のカレンダーの内側には６月のカレンダーが、３月のカレンダーの内側には７月のカレンダーが巻かれている。
ここで、「対応して」とは、「位置がずれることなく」という意味である。薄い紙であり、紙は伸びたり撓んだりするので、カレンダー用紙は数回巻き重ねても、位置ずれをしない。
従って実施例２の卓上カレンダー装置は、
カレンダー用紙１の重なり部分では、外側の月表示面１１ａまたは週表示面に内側の前記月表示面１１ａまたは週表示面が対応して重なるように巻かれている
ことを特徴とする卓上カレンダー装置である。
また、図６（Ｂ）図に表すように、支持体の上部に支持体上部凸片８ｅを設けると、凸片がガイドとなって、予め重ねて巻いたカレンダー用紙を支持体に被せることが容易になる。
【実施例３】
【００１９】
図７で表す卓上カレンダー装置は、本願発明の実施例３を表す図であり、図２で表された第二の形態のカレンダー用紙１を横断面が円形の支持体に巻き付けた状態を表している。巻いた状態のカレンダー用紙が、巻き戻ることを貼って剥がせるシール８ｄで留めて防いでいる。カレンダー用紙は紙又は薄い合成樹脂板であり、円筒体の形状に追随して巻いた状態となることができる。
支持体は円筒体であり、筒体の横断面の外周は、カレンダー用紙１の個々の表示面の幅の３倍の長さである。カレンダー用紙の三つの個々の表示面１ｃに記載されたカレンダーが３面連続して表示されている卓上カレンダー装置である。
図７では、１月のカレンダーがミシン目位置で切り離されて、２月、３月と４月のカレンダーが円筒体の外周一周をカレンダー順に表示されている状態である。
よって図７に表す卓上カレンダー装置も実施例２と同様に、
月表示面１１ａまたは週表示面が横方向にカレンダー順に連続して表記されている横長のカレンダー用紙１と、
このカレンダー用紙１を重なるように巻いて被せる支持体４とを有し、
前記月表示面１１ａまたは週表示面の間にミシン目が形成され、
前記支持体の外周一周で前記カレンダー用紙１の複数の前記月表示面１１ａまたは週表示面のカレンダーをカレンダー順で表示する卓上カレンダー装置である。
また支持体４の外周長さがカレンダー用紙１の個々の表示面１ｃの３倍であるため、３ケ月分のカレンダーが支持体の外周一周に表示される。カレンダー用紙を重ねて巻いた内側にも位置がずれることなく重なった状態で月表示面１１ａが存在する。
よって、実施例３の卓上カレンダー装置は、
カレンダー用紙１の重なり部分では、外側の月表示面１１ａに内側の月表示面１１ａが対応して重なるように巻かれている卓上カレンダー装置である。
【００２０】
支持体は、紙、合成樹脂、木、金属、ガラス、陶器等の材料を用いて製作することができる。支持体を紙製で組み立て式に構成すると、梱包状態を、紙を展開して平板上にすることができるため便利で都合がよい。また耐久性のある木、金属やガラス等を用いた支持体とすると、翌年の卓上カレンダーはカレンダー用紙のみを入手すればよく、非常に経済的な卓上カレンダー装置を創出することができる。
支持体の寸法と形状に関しては、支持体の有する筒体の横断面外周長は使用するカレンダー用紙の個々の表示面の幅の２以上の整数倍であると都合がよい。また、支持体の有する錐台の形状が、後記するようにカレンダー用紙の等脚台形の形状と適応する必要がある。
支持体の高さは、巻いたカレンダー用紙の高さより高くても低くてもよい。また、巻いたカレンダー用紙を支持体の上から被せる方法で支持体にカレンダー用紙を巻く場合は、支持体の上部が細くなっていると、カレンダー用紙を被せ易い。あるいは支持体の上部にカレンダー用紙をガイドする凹凸があるとよい。
支持体にも、カレンダーやカレンダー以外のコンテンツを表記することができる。カレンダー用紙に表記されるコンテンツは表示時期が過ぎると表示されなくなるが、支持体に表記したコンテンツは支持体が使用される限り表示されるので便利である。１年分のカレンダー、地下鉄路線網地図、広告企業名や広告製品名と製品説明などのコンテンツが適当である。
【００２１】
巻き付けたカレンダー用紙の巻が戻ることをクリップで留めて防ぐ方法がある。クリップの形状はどのようなものでも構わない。洗濯バサミやヘアピンのようなものでも使用可能である。
クリップは非常に安価に入手することができる。またクリップは非常に簡単な指先操作でカレンダー用紙を留めることができる。カレンダー用紙と筒体とを一緒に挟んでクリップで留めることでもよい。
また、クリップの代りに、貼って剥がせる粘着剤を使用したシールのようなものでもよい。あるいは、支持体の有する筒体を巻き付けたカレンダー用紙ともども輪ゴムを被せて留めてもよい。あるいは、支持体の一部を鉄製部材として、マグネットでカレンダー用紙を挟んで留めること等でもよい。
カレンダーの時期を過ぎた個々の表示面を切り離す作業は、クリップを摘まんで隣の個々の表示面に移動し、時期を過ぎた個々の表示面をミシン目から切り離せば終える。紙を折り曲げたり広げたりすることのない簡単な作業である。
【００２２】
図６に表すように、支持体の筒体の内部中空部を筆記具や文具を収納する空間として利用することができる。またこの空間に、カレンダー用紙から切り離した個々の表示面を保管することができるため、過去のカレンダーや記入したメモを見返すこともできる。
カレンダー用紙に予定やメモを記入する際に、支持体が下敷となって、カレンダー用紙を外すことなく記入することができる。
図７で表した支持体は、円筒体の上部を細く絞った形状である。このように筒体の上部から胴部にかけて傾斜部を設けると、重ねて巻いたカレンダー用紙を簡単に支持体に被せることができる。
【実施例４】
【００２３】
図８と図９は実施例４を説明する図であり、図１０は実施例４を表す図である。
図８の（Ａ）と（Ｂ）図は、図４で表す個々の表示面１ｃが合同の等脚台形１ｈの形状をしている、第四の形態のカレンダー用紙１を、ミシン目１ａで折り曲げて形成する正多角錐台の側面２ａ形状に巻いた状態を表す図である。
図２のカレンダー用紙１は同形で同サイズの等脚台形の個々の表示面１ｃがミシン目（ミシン目は折り曲げ易いので）で仕切られているため、個々の表示面１ｃを重ねて折り曲げることで、数の少ない角の正多角錐台の側面を形成することができる。
図８の（Ａ）図は、図４で表す第四の形態のカレンダー用紙１を折り曲げて形成する正三角錐台の側面形状を表す図である。図８の（Ｂ）図は、図４で表すカレンダー用紙１を折り曲げて形成する正四角錐台の側面形状を表す図である。
【００２４】
ここで正多角錐台とは、正多角錐を底面と平行な２面で切取った２面の間の立体である。従って正多角錐台の側面の左右の辺の延長線はその正多角錐の頂点で交わる。左右の辺の延長線が交わる角度は一定である。
正多角錐台の各側面は同形で同サイズ（合同）の等脚台形の形状している。従って、折り曲げる前のカレンダー用紙１はカレンダー用紙１の端部１ｂと折り目１ａとで囲まれた個々の側面１ｃは同形で同サイズの等脚台形の形状をしている。図４のカレンダー用紙１は１２面の個々の表示面１ｃがあるので、最大で正１２角錐台の側面形状を形成することが可能である。
図４で表すように正多角錐台の側面の展開図が、等脚台形の左右の辺を接した形状である場合、個々の表示面１ｃの左右の辺１ｆを延長すると延長線１ｇは頂点である一点で交わる。等脚台形の底辺と左右の辺とその延長線がなす形状は二等辺三角形である。カレンダー用紙１の個々の表示面１ｃの左右の辺１ｆの延長線１ｇの交点のなす角度１αは一定の角度となる。
【００２５】
図８の（Ｃ）図は、カレンダー用紙を折り曲げて形成する正四角錐台の側面形状の性質を説明する図である。（Ｃ）図に表すカレンダー用紙１は、（Ｂ）図で表された正四角錐台の側面形状のカレンダー用紙を、前後幅を狭めて左右幅を広げた状態を表す図である。紙のようにミシン目１ａで折り曲げ可能である偶数角の正多角錐台の側面形状は、正多角錐台の側面形状から前後幅を狭め左右幅を広げて、（Ｃ）図で表すような扁平な形状になるまで、形状を変化させることが可能である。運搬時は平板状で運び易く、使用時には正多角錐台の側面形状を簡単に形成できる、便利なカレンダー用紙であると言える。
【００２６】
図９は実施例４を説明するための図であり、等脚台形１ｈの個々の表示面１ｃが辺の位置にあるミシン目１ａを介して横に連接したカレンダー用紙が、支持体が有する多角錐台の側面３ａ形状にカレンダー用紙を巻いて被せることができることを説明する図である。
図９の（Ａ）図はカレンダー用紙１の個々の表示面１ｃの側面図である。
図９の（Ｂ）図はカレンダー用紙１の個々の表示面１ｃを支持体４の多角錐台の各面３ｃに重ねるために近づけた状態を表す側面図である。
支持体４は、多角錐台の側面３ａ形状のうち、正多角錐台の側面２ａ形状を有している支持体である。
【００２７】
以下で図９の（Ｂ）図を参照して、カレンダー用紙１が支持体の多角錐台の側面３ａに巻いて被せることができることを説明する。
正多角錐台の側面２ａ形状を形成したカレンダー用紙１が、多角錐台の側面３ａ形状に巻き付けることができるとは、
・カレンダー用紙の正多角錐台の側面２ａ形状と支持体４の有する多角錐台の側面３ａ形状の角の数が一致することが必要である。
・カレンダー用紙１の正多角錐台の個々の表示面１ｃの左右の辺１ｆの延長線１ｇが交わる角度１αと、支持体４が有する多角錐台の側面形状の各面３ｃの左右の辺３ｆの延長線３ｇが交わる角度３βが同じ角度である必要がある。
・カレンダー用紙の個々の表示面１ｃが等脚台形１ｈの辺１ｆで連接していること。また支持体の多角錐台の各面３ｃが辺３ｆで連接していること。この条件にカレンダー用紙も支持体の多角錐台も適合している。
・そして支持体４の有する多角錐台の側面３ａ形状が小さ過ぎずに、カレンダー用紙１の正多角錐台の側面２ａ形状の上底から多角錐台の側面３ａ形状が抜け出さない限り、
正多角錐台の側面形状のカレンダー用紙１を支持体４の有する多角錐台の側面３ａ形状に巻いて被せることができる。カレンダー用紙１は支持体４の多角錐台に巻き付いて嵌り、ずれたり外れたりしない。
上記のような条件が整えば、支持体の有する正多角錐台の側面形状が多角錐台の側面形状であっても、正多角錐台の側面形状のカレンダー用紙を支持体の多角錐台に巻いて被せることができる。
後記する偶数角の正多角錐台の側面形状の前後幅を狭め左右幅を広げた多角錐台の側面形状は上記の条件を整えている。これは、正多角錐台の側面形状のカレンダー用紙は、ミシン目で折り曲げ可能であるため、支持体の多角錐台に被せるときに、支持体の形状に追随することができるからである。
【００２８】
図１０は本願発明の実施例４を表す図であり、図４で説明した第四の形態のカレンダー用紙１を支持体の多角錐台に巻いて被せてカレンダーをカレンダー順で表示している斜視図である。
図１０（Ａ）図は、正三角錐台の形状の支持体にカレンダー用紙１を巻いて被せて表示する卓上カレンダー装置の実施例である。
図１０（Ｂ）図は、正四角錐台の形状の支持体にカレンダー用紙を巻いて被せて表示する卓上カレンダー装置の実施例である。
このように、個々の表示面が等脚台形のカレンダー用紙であっても、正三角錐台や正四角錐台の形状の支持体に巻いて被せることが可能である。また実施例２や３と同様に、支持体の多角錐台の側面の数だけ、個々の表示面に表記されたカレンダーをカレンダー順に支持体の外周一周に表示することができる。カレンダー用紙を重ねて巻いた内側にも同様に月表示面が存在する。従って外側の表示面の内側には内側の表示面のカレンダーが対応して重なるように巻かれている。
図１０で表す本願発明の卓上カレンダー装置１０は、
月表示面１１ａまたは週表示面が横方向にカレンダー順に連続して表記されている横長のカレンダー用紙１と、
このカレンダー用紙を重なるように巻いて被せる支持体４とを有し、
前記月表示面１１ａまたは週表示面の間に折り曲げと切り離し用のミシン目１ａが形成され、
前記支持体の外周一周で前記カレンダー用紙の複数の前記月表示面１１ａまたは週表示面のカレンダーをカレンダー順で表示する卓上カレンダー装置である。
また、
前記カレンダー用紙１の重なり部分では、外側の前記月表示面１１ａまたは週表示面に内側の前記月表示面１１ａまたは週表示面が対応して重なるように巻かれていることを特徴とする卓上カレンダー装置である。
【実施例５】
【００２９】
図１１は本願発明の実施例５を表す図である。
図１１の（Ａ）図は、多角錐台を有する支持体の形状を説明する正面図であり、（Ｂ）図はその平面図であり、（Ｃ）図はその側面図である。
図１１の（Ｄ）図に表す支持体４は、（Ａ）、（Ｂ）、（Ｃ）図であらわす正四角錐台の側面形状の前後幅６ｅを狭め左右幅６ｆを広げてできる多角立体形６の底部を傾斜平面で７ａ切り落とした形状である。
もともと正四角錐台の形状を上記のように変化させた形状の多角立体形であるため、多角立体形６の側面にある多角錐台の側面３ａ形状（（Ａ）と（Ｂ）図の斜線部分）の各面３ｃの左右の辺３ｆの延長線３ｇの交わる角度３βは、元の正四角錐台のときと変化していない。よってこの角度３βと同じ、等脚台形１ｈの左右の辺１ｆの交わる角度１αが同じである正多角錐台の側面形状のカレンダー用紙は、図５で説明したように、折り曲げ位置（ミシン目位置）が多角錐台の角の位置と一致することができるため、巻いて被せることができる。
【００３０】
図１１の（Ｄ）図は、上記で説明した形状の多角錐台３を有する支持体４に、図４で表すカレンダー用紙１を巻き付けて卓面７上に置いた状態の正面図である。（Ｅ）図はその側面図である。
（Ｄ）図で表す多角錐台は、多角錐台の各面３ｃの左右両辺の延長線の交点のなす角度３βと、等脚台形の左右両辺の延長線の交点のなす角度３αが同じであるカレンダー用紙は、角の位置が一致するため巻き付けることができる。
また、カレンダー用紙には、カレンダー用紙の個々の表示面にカレンダーがカレンダー順に表記されている。よって、図の多角錐台の外周一周をカレンダーは、上から見て左回りに８月、９月、１０月、１１月とカレンダー順に表示されている。また、時期が過ぎて８月のカレンダーが表記された個々の表示面を切り離すと、下面から１２月のカレンダーが表記された個々の表示面が表れる。つまり多角錐台の外周一周を更新されたカレンダーがカレンダー順（上から見て、左回りに９月、１０月、１１月、１２月）で表示される。
よって上記説明のように構成された図１１で表す本願発明の卓上カレンダー装置は、
月表示面１１ａまたは週表示面が横方向にカレンダー順に連続して表記されている横長のカレンダー用紙１と、
このカレンダー用紙１を重なるように巻いて被せる支持体４とを有し、
月表示面１１ａまたは週表示面の間に切り離しと折り曲げのためのミシン目１ａが形成され、
前記支持体４の外周一周で前記カレンダー用紙１の複数の月表示面１１ａまたは週表示面のカレンダーをカレンダー順で表示する卓上カレンダー装置であり、
カレンダー用紙１の重なり部分では、外側の月表示面１１ａまたは週表示面に内側の月表示面１１ａまたは週表示面が対応して重なるように巻かれている卓上カレンダー装置である。
図１１の（Ｄ）と（Ｅ）図に表されるような多角立体の支持体を用いると、個々の表示面が卓面の垂直から傾く角度が異なり、利用者の視線の方向９は斜め上からであり、表示面の見易さという点で、優劣あるいは序列のある表示面を形成することができる。
【実施例６】
【００３１】
図１２は実施例６表す図であり、本願発明の卓上カレンダー装置のカレンダーの表示方法を説明する図である。
（Ａ）図に表すカレンダー用紙１は図２で表した第二の形態のカレンダー用紙であり、月表示面１１ａまたは週表示面が横方向にカレンダー順に連続して表記されている横長のカレンダー用紙であり、前記月表示面１１ａまたは週表示面の間に切り離し用のミシン目１ａが形成されている。また、個々の表示面の幅は同幅に形成されている。
（Ａ）図の支持体にはカレンダー用紙１が重なるように巻いて被せてあり、支持体４の外周において、カレンダー用紙の複数の前記月表示面１１ａまたは週表示面をカレンダー順で表示している状態である。
（Ａ）図に表す支持体４は円筒体５形状であり、円筒体５の横断面の外周長は、カレンダー用紙１の個々の表示面１ｃの幅の３倍であり、つまり三枚の個々の表示面１ｃを表示することができる支持体４である。
カレンダー用紙の先端の月表示面または週表示面を先頭表示面１１ｃとし、支持体の外周表面にあるカレンダー用紙の末尾の月表示面または週表示面を末尾表示面１１ｅとして、
支持体の外周一周で、上から見て左周りに先頭表示面１１ｃ（２月）から、先頭から二番目の表示面１１ｄ（３月）と末尾表示面１１ｅ（４月）までのカレンダーが、カレンダー順に表示されている。（３月のカレンダーは背後で見えない）
【００３２】
（Ｂ）図は、（Ａ）図で表す卓上カレンダー装置を上から見た、分かり易く誇張的に表現した平面図である。
（Ｂ）図は、支持体４にカレンダー用紙１が、最後尾面を内側にして巻き付けられている状態を表現している。第１面と第２面は既に切り離されて、外側の先端に第３面がある状態である。上から見て左周りに先頭表示面１１ｃ（第三面・２月）、先頭から二番目の表示面１１ｄ（第四面・３月）、末尾表示面１１ｅ（第五面・４月）の外側にあるカレンダーが、カレンダー順に表示されている。
カレンダー用紙の個々の表示面１ｃは同じ幅であり、支持体の外周長は個々の表示面の３倍の長さであるため、内側の個々の表示面１ｃに対応して重なるように巻かれた位置で外側に個々の表示面が配置される。従って、カレンダーとして時期を過ぎた先頭表示面１１ｃ（第３面）を切り離して除去すると第３面の内側に存在する末尾表示面の次の表示面１１ｆ（第６面）が表示される。
【００３３】
（Ｃ）図は、（Ａ）図で表された状態から、
前記カレンダー用紙の重なり部分で、
先頭表示面１１ｃと先頭から二番目の表示面１１ｄとの間のミシン目で前記先頭表示面１１ｃを切り離して除去すると、前記末尾表示面の次の表示面１１ｆが現れ表示されて、
前記支持体４の外周一周で前記先頭から二番目の表示面１１ｄから前記末尾表示面の次の表示面１１ｆまでの更新されたカレンダーをカレンダー順で表示するカレンダーの表示方法で、形成された状態を表している。
（Ｄ）図はその状態を上から見た、分かり易く誇張的に表現した平面図である。上から見て左周りに先頭から二番目の表示面１１ｄ（第四面）、末尾表示面１１ｅ（第五面）、前記末尾表示面の次の表示面１１ｆ（第六面）の外側にあるカレンダーが、カレンダー順に表示されている。
【００３４】
よって、図１２の（Ａ）、（Ｂ）、（Ｃ）と（Ｄ）図で表し、上記で説明したように、本願発明の実施例６の卓上カレンダー装置は、
月表示面１１ａまたは週表示面が横方向にカレンダー順に連続して表記されている横長のカレンダー用紙１と、このカレンダー用紙を重なるように巻いて被せる支持体４とよりなり、
前記月表示面１１ａまたは週表示面の間にミシン目が形成され、
前記支持体４の外周において、前記カレンダー用紙１の複数の前記月表示面１１ａまたは週表示面を表示し、
前記カレンダー用紙１の先端の月表示面または週表示面を先頭表示面１１ｃとし、
前記支持体の外周表面にある前記カレンダー用紙の末尾の月表示面または週表示面を末尾表示面１１ｅとし、
前記支持体４の外周一周で前記先頭表示面１１ｃから前記末尾表示面１１ｅまでのカレンダーをカレンダー順で表示し、
前記カレンダー用紙１の重なり部分で、
前記先頭表示面１１ｃと先頭から二番目の表示面１１ｄとの間のミシン目１ａで前記先頭表示面１１ｃを切り離して除去すると、前記末尾表示面の次の表示面１１ｆが現れ表示されて、
前記支持体４の外周一周で前記先頭から二番目の表示面１１ｄから前記末尾表示面の次の表示面１１ｆまでの更新されたカレンダーをカレンダー順で表示するカレンダーの表示方法である。
【００３５】
尚、個々の表示面の数が一年を月毎に表示する十数枚程度であれば、個々の表示面の幅は同幅でよい。この程度の個々の表示面の枚数では、紙の厚みによる個々の表示面の重なりのずれは殆ど生じない。
週表示のカレンダーを記載する場合は、個々の表示面の数が５０枚超になる。そのような場合にはカレンダー用紙の厚みを考慮して、支持体に巻き付けたとき内側になる個々の表示面の幅より、外側になる個々の表示面の幅を広くした方がよい。しかし、支持体が円筒体である場合には、円筒体には角がないため、カレンダー用紙を折り曲げることがないので、多少のずれは使用上支障がないので、紙の厚みを考慮する必要はない。
【００３６】
上記では、支持体を円形断面の例で説明したが、断面が楕円形、正三角形、正四角形、ひし形、等辺六角形等であっても、筒体の横断面外周長が、カレンダー用紙の主要部が同幅の個々の表示面の幅の２以上の整数倍であれば、上記同様の説明が可能である。
また、支持体が多角錐台を有して、等脚台形の個々の表示面を有したカレンダー用紙を前記多角錐台に巻いて被せた卓上カレンダー装置であっても、上記と同様である。
【００３７】
図１３は、支持体あるいは支持体が有する筒体の別な形態を、断面図で模式的に説明する図である。
筒体を上から見た平面図であり、黒点と黒点の間の長さが、カレンダー用紙の個々の表示面１ｃの主要部の幅の長さを表している。黒点はカレンダー用紙のミシン目を上から見たミシン目位置１ｉを表している。
（Ａ）図は、かまぼこ型断面の筒体の断面図であり、カレンダー用紙の個々の表示面３枚を表示する筒体である。
（Ｂ）図は、長円形断面の筒体の断面図であり、カレンダー用紙の個々の表示面２枚を表示する筒体である。
（Ｃ）図は、ひし形断面の筒体の断面図であり、カレンダー用紙の個々の表示面４枚を表示する筒体である。
（Ｄ）図は、等辺六角形断面の筒体の断面図であり、カレンダー用紙の個々の表示面６枚を表示する筒体である。
【００３８】
尚、筒体（あるいは支持体自体）は必ずしも卓面に対して鉛直に立っている必要はない。卓面の鉛直から傾いた斜筒状態にあっても、卓上カレンダーとしてより良い機能をすることができる。つまり、筒体が傾くことによって、若干上を向いた個々の表示面と若干下を向いた個々の表示面が形成される。見易い若干上を向いた表示面に目を向けることの多い今月のカレンダーを表示し、下を向いて見辛い表示面に見ることの少ない来月以降のカレンダーを表示することができる。
円形の筒体であれば、巻き付けたカレンダー用紙を筒体の表面でねじるように滑らせて回転させることで、簡単にカレンダーの位置をずらすことができる。
また、支持体の多角錐台に等脚台形の個々の表示面を有するカレンダー用紙を巻いて被せた場合には、先端が小さい錐台形であるゆえ、簡単にカレンダー用紙を取り外すことができ、カレンダー用紙を水平回転させて、再び多角錐台に被せることで、簡単に位置をずらすことができる。支持体ごと水平回転させてカレンダーの表示位置をずらすと、何かの都合で支持体の位置を変えたときに、今月のあるいは今週のカレンダーがどこに表示されているのか、都度探さねばならない不都合が生じる。
【００３９】
以上説明したように、本願発明の卓上カレンダー装置はとりわけ高価な材料や多くの製作手間を必要とせずに安価に製作が可能である。カレンダー用紙は細長い紙にカレンダーを印字し切り離し用のミシン目を設けるだけでよい。また、支持体は極端にはスチール製のジュースの缶でよく、マグネットでカレンダー用紙をスチール缶に留めればカレンダー装置として機能することができる。
また、支持体に多少コストの高いガラスや陶製を用いた場合、これらの材料は耐久性があるため、翌年以降はカレンダー用紙のみを調達することで、安価に卓上にカレンダー装置を設置することが可能である。
【図面の簡単な説明】
【００４０】
【図１】第一の形態のカレンダー用紙を説明する図である。
【図２】第二の形態のカレンダー用紙を説明する図である。
【図３】第三の形態のカレンダー用紙を説明する図である。
【図４】第四の形態のカレンダー用紙を説明する図である。
【図５】実施例１を表す図である。
【図６】実施例２を表す図である。
【図７】実施例３を表す図である。
【図８】実施例４を説明する図である。
【図９】実施例４を説明する図である。
【図１０】実施例４を表す図である。
【図１１】実施例５を表す図である。
【図１２】実施例６、カレンダーの表示方法を説明する図である。
【図１３】支持体の別な形態を説明する図である。
【符号の説明】
【００４１】
１：カレンダー用紙
１ａ：ミシン目
１ｂ：カレンダー用紙の端部 
１ｃ：個々の表示面
１ｄ：主要部
１ｅ：主要部の幅
１ｆ：辺
１ｇ：辺の延長線
１ｉ：ミシン目位置
１ｈ：等脚台形
１α：左右の辺の延長線の交わる角度
第１面：連接した個々の表示面の端から１番目の個々の表示面
第２面：連接した個々の表示面の端から２番目の個々の表示面
最後尾面：連接した個々の表示面の端から最後尾の個々の表示面
２：正四角錐台の側面形状
２ａ：正多角錐台の側面
３：多角錐台
３ａ：多角錐台の側面
３ｃ：多角錐台の各側面
３ｆ：辺
３ｇ：辺の延長線
３β：左右の辺の延長線の交わる角度
４：支持体
４ａ：正多角錐台の側面
５：筒体
５ａ：筒体の横断面
６：多角立体形
６ａ：多角立体形の側面
６ｅ：前後幅
６ｆ：左右幅
７：卓面
７ａ：傾斜平面
８：吊り具
８ａ：クリップ
８ｂ：筆記具等
８ｃ：筆記具等を収納する内空
８ｄ：シール
８ｅ：支持体上部の凸片
９：利用者の視線の方向 
１０：卓上カレンダー装置
１１：カレンダー
１１ａ：月表示面
１１ｂ：週表示面
１１ｃ：先頭表示面
１１ｄ：先頭から二番目の表示面
１１ｅ：末尾表示面
１１ｆ：末尾表示面の次の表示面
【図１】
2014138982.tif 000003
【図２】
2014138982.tif 000004
【図３】
2014138982.tif 000005
【図４】
2014138982.tif 000006
【図５】
2014138982.tif 000007
【図６】
2014138982.tif 000008
【図７】
2014138982.tif 000009
【図８】
2014138982.tif 000010
【図９】
2014138982.tif 000011
【図１０】
2014138982.tif 000012
【図１１】
2014138982.tif 000013
【図１２】
2014138982.tif 000014
【図１３】
2014138982.tif 000015